(57)【要約】【課題】ワイヤハーネスの枝線に形成する端末集中溶接スプライス部を絶縁樹脂製のキャップ等に挿入することなく、簡単に処理する。【解決手段】ワイヤハーネスの幹線から分岐する複数の枝線の端末に端末集中溶接スプライス部を設け、該端末集中溶接スプライス部の先端に屈曲させた係止部を形成している一方、前記ワイヤハーネスから分岐する他の複数の枝線端末をジョイントするジョイントコネクタを設け、該ジョイントコネクタに前記端末集中溶接スプライス部の収容部を付設し、該収容部内に前記係止部を係止する被係止部を設け、ジョイントコネクタに前記端末集中溶接スプライス部も収容保持している。【選択図】図１
2011154903.tif 000002
【特許請求の範囲】
【請求項１】
ワイヤハーネスの幹線から分岐する複数の枝線の端末に端末集中溶接スプライス部を設け、該端末集中溶接スプライス部の先端に屈曲させた係止部を形成している一方、
前記ワイヤハーネスから分岐する他の複数の枝線端末をジョイントするジョイントコネクタを設け、該ジョイントコネクタに前記端末集中溶接スプライス部の収容部を付設し、該収容部内に前記係止部を係止する被係止部を設け、ジョイントコネクタに前記端末集中溶接スプライス部も収容保持していることを特徴とするワイヤハーネス。
【請求項２】
前記端末集中溶接スプライス部の先端に設けた係止部は、枝線の軸線方向に対して９０度下向きに屈折している一方、前記被係止部は前記収容室の底壁内面から傾斜させて突設したランスからなる請求項１に記載のワイヤハーネス。
【請求項３】
前記端末集中溶接スプライス部の収容室は前記ジョイントコネクタの側壁の外面に設けている請求項１または請求項２に記載のワイヤハーネス。
【請求項４】
前記端末集中溶接スプライス部に設ける前記係止部は、抵抗溶接装置の下側電極に対して昇降する上側電極と、該上側電極と前記下側電極に対して直交する奥側ガイド壁との隙間で前記端末集中溶接スプライス部と同時に形成されているものである請求項１乃至請求項３のいずれか１項に記載のワイヤハーネス。
【発明の詳細な説明】
【技術分野】
【０００１】
本発明は車両に配索されるワイヤハーネスに関し、特に、該ワイヤハーネスの幹線から分岐させた複数本の枝線の端末集中溶接スプライス部分を簡単に絶縁処理するものである。
【背景技術】
【０００２】
自動車に配索するワイヤハーネスを構成する多数の電線群のうち、互いに接続する必要がある回路の電線は、図７に示すように、幹線１００から枝線１０１として分岐し、分岐した複数本の枝線１０１の端末で絶縁被覆１０１ａを剥離して芯線１０１ｂを露出させ、これら芯線１０１ｂを重ね合わせて超音波溶接あるいは抵抗溶接等の溶接で一体化し、端末集中溶接スプライス部Ｓを形成している場合がある。
【０００３】
前記端末集中溶接スプライス部Ｓは、特開平８−１４８２０１号公報では、図８（Ａ）〜（Ｃ）に示すように、多数の端末集中溶接スプライス部Ｓをそれぞれ挿入する複数の収容ポケット１５１をケース１５０に設けると共に、該ケース１５０の側壁からストッパーピン１６１を突設したストッパー１６０を差し込み、収容ポケット１５１内に挿入する端末集中溶接スプライス部Ｓから分岐する電線ｗの間に挿入して、ケース１５０内に多数の端末集中溶接スプライス部Ｓを収納保持できるようにしている。
【０００４】
また、特開平９−１３７８８１号公報では、図９に示すように、絶縁樹脂製のキャップ１１０に端末集中溶接スプライス部Ｓを挿入し、該キャップに突設したテープ巻き舌片に端末集中溶接スプライス部Ｓを構成する枝線を粘着テープで巻き付けている。キャップ１１０はワイヤハーネスの幹線１００にテープ巻き固着する基板型クリップ１１１の基板１１１ａの側面から突設し、該基板１１１ａの上面からは車体係止用のクリップ部１１１ｂを突設している。また、前記基板型クリップ１１１に代えてバンド型クリップからキャップを突設している場合もある。
【０００５】
なお、従来は、図１０（Ａ）（Ｂ）に示すように、テープ巻き舌片１３０ａを突設したキャップ１３０のみを用い、該キャップに端末集中溶接スプライス部Ｓを挿入したのちテープ１４０を巻きつけて固着し、該キャップ１３０をワイヤハーネスの幹線１００の外周に搭載してテープ巻きで固定する場合が多い。
【先行技術文献】
【特許文献】
【０００６】
【特許文献１】特開平８−１４８２０１号公報
【特許文献２】特開平９−１３７８８１号公報
【発明の概要】
【発明が解決しようとする課題】
【０００７】
前記特許文献１では、ケースの収容ポケット１５１内に収容した端末集中溶接スプライス部Ｓから引き出された電線ｗの隙間にストッパーピン１６１を差し込んで抜け止めをしているが、端末集中溶接スプライス部Ｓ自体を収容ポケット１５１内に固定していないため、保持が不安定となり、かつ、枝線に引き抜き方向の負荷がかかるとストッパーピン１６１と枝線との間に損傷が発生する恐れがあり、改善の余地がある。
また、前記特許文献２では、基板型クリップまたはバンド型クリップから突設したキャップに端末集中溶接スプライス部Ｓを挿入した後に、該キャップに設けたテープ巻き舌片と端末集中溶接スプライス部Ｓの枝線とを粘着テープで巻き付ける必要があり、作業手数がかかる問題がある。かつ、前記キャップを突設した基板型クリップあるいはバンド型クリップは複雑な形状となるため、金型製作費が高くなり、コスト高になる問題がある。
また、樹脂製のキャップのみを用いる場合も、テープ巻き作業が必要となり、かつ、該キャップを幹線の外周面に搭載してテープ巻き固着するだけでは、端末集中溶接スプライス部の保護機能が低下する。
【０００８】
本発明は前記問題に鑑みてなされたものであり、端末集中溶接スプライス部を簡単に絶縁処理できるようにすることを課題としている。
【課題を解決するための手段】
【０００９】
前記課題を解決するため、本発明は、ワイヤハーネスの幹線から分岐する複数の枝線の端末に端末集中溶接スプライス部を設け、該端末集中溶接スプライス部の先端に屈曲させた係止部を形成している一方、
前記ワイヤハーネスから分岐する他の複数の枝線端末をジョイントするジョイントコネクタを設け、該ジョイントコネクタに前記端末集中溶接スプライス部の収容部を付設し、該収容部内に前記係止部を係止する被係止部を設け、ジョイントコネクタに前記端末集中溶接スプライス部も収容保持していることを特徴とするワイヤハーネスを提供している。
【００１０】
前記のように、本発明では、端末集中溶接スプライス部の先端に屈曲した係止部を設ける一方、ワイヤハーネスの枝線同士をジョイントするためにワイヤハーネスに搭載しているジョイントコネクタを利用し、該ジョイントコネクタに端末集中溶接スプライス部を挿入する収容部を付設し、該収容部に前記被係止部を設けておき、端末集中溶接スプライス部をジョイントコネクタを利用して簡単に絶縁保持できるようにしている。
このように、ジョイントコネクタを端末集中溶接スプライス部の収容部として利用しているため、前記特許文献１に記載のような端末集中溶接スプライス部を収容する専用ケースを設ける必要はなく、かつ、特許文献２のように樹脂製のキャップを付設した複雑な形状のクリップを設ける必要もない。
【００１１】
前記端末集中溶接スプライス部の先端に設けた係止部は枝線の軸線方向に対して９０度下向きに屈曲させている一方、前記被係止部は前記収容室の底壁内面から傾斜させて突設したランスからなり、該ランスを係止部に当接係止することが好ましい。
【００１２】
前記端末集中溶接スプライス部の収容部は前記ジョイントコネクタの側壁の外面に設けている。
具体的には、ジョイントコネクタは、互いに導通する枝線の端末にそれぞれ接続した端子を一方側のコネクタハウジングに挿入係止しておく一方、前記各端子と嵌合接続する端子を分岐して突出したジョイントバスバーを収容している他方側のコネクタハウジングとからなる。該他方側のコネクタハウジングの側面あるいは上面に前記端末集中溶接スプライス部の収容部を付設している。端末集中溶接スプライス部が複数の場合は前記コネクタハウジングの両側側面、さらには上面の複数箇所に端末集中溶接スプライス部の収容部を付設している。また、収容部はジョイントコネクタのコネクタハウジングとは別体として設け、必要な個数だけコネクタハウジングに取り付けてもよい。
【００１３】
前記ジョイントコネクタは前記ワイヤハーネスの幹線の外周面に搭載され、粘着テープが巻き付けられて前記ワイヤハーネスに固着されることが好ましい。
なお、ジョイントコネクタの外面に車体係止用のクリップを突設し、車体に固定してもよい。
【００１４】
前記端末集中溶接スプライス部に設ける前記係止部は、例えば、抵抗溶接装置の下側電極に対して昇降する上側電極と、該上側電極と前記下側電極に対して直交する奥側ガイド壁との隙間で前記端末集中溶接スプライス部と同時に形成されているものである。
具体的には、複数の枝線の端末で絶縁被覆を剥離し、露出した芯線を重ね合わせた状態で前記下側電極上に搭載し、芯線の先端を前記奥側ガイド壁に突き当て、ついで、上側電極と奥側ガイド壁と隙間をあけて下側電極に向けて下降することで、上下電極間で芯線が略矩形状に一体的に溶接され、さらに上側電極の側面と奥側ガイド壁の間で上向きに屈折した係止部を同時に形成することができる。
【発明の効果】
【００１５】
前記のように、本発明では、ワイヤハーネスの幹線から分岐した複数の枝線の端末の端末集中溶接スプライス部に係止部を設けている一方、該ワイヤハーネスの枝線同士を接続するジョイントコネクタに前記係止部を係止する被係止部を設けた端末集中溶接スプライス部の収容部を付設しているため、該収容部内に端末集中溶接スプライス部を挿入し、その係止部を収容部内の被係止部に係止するだけでよい。
よって、樹脂製のキャップの端末集中溶接スプライス部を挿入する場合に必要なテープ巻き固着作業を不要にでき、かつ、端末集中溶接スプライス部を収容するための専用ケースを設ける必要はなく、簡単、確実かつ安価に端末集中溶接スプライス部を処理できる。
【図面の簡単な説明】
【００１６】
【図１】本発明の実施形態を示す斜視図である。
【図２】（Ａ）は端末集中溶接スプライス部を示す斜視図、（Ｂ）要部拡大斜視図である。
【図３】端末集中溶接スプライス部を形成する抵抗溶接装置を示し、（Ａ）は概略斜視図、（Ｂ）は平面図、（Ｃ）はガイド壁を除いた状態の側面図である。
【図４】端末集中溶接スプライス部の形成工程を示す図面である。
【図５】ジョイントコネクタと枝線との関係を示す図面である。
【図６】（Ａ）は端末集中溶接スプライス部と収容部とを示す断面図、（Ｂ）は収容部内に係止した状態を示す断面図である。
【図７】ワイヤハーネスの枝線の端末集中溶接スプライス部を示す図面である。
【図８】（Ａ）〜（Ｃ）は従来例を示す図面である。
【図９】他の従来例を示す斜視図である。
【図１０】（Ａ）（Ｂ）は他の従来例を示す図面である。
【発明を実施するための形態】
【００１７】
以下、本発明の実施形態を図１乃至図６を参照して説明する。
図１に示すように、自動車に配索するワイヤハーネス１の幹線２から多数本の枝線３（３Ａ、３Ｂ、３Ｃ、〜３Ｑ）が分岐し、複数本の枝線３Ａ〜３Ｆ、３Ｇ〜３Ｌは図２に示すように、それぞれ端末集中溶接スプライス部１０（以下、端末スプライス部１０と略称する）を設けている。これら２組の端末スプライス部１０（１０ー１、１０ー２）は幹線２の略一の周方向位置Ｐ１から分岐させている。かつ、該周方向位置Ｐ１からジョイントコネクタ５でジョイントする枝線３Ｍ〜３Ｑも分岐している。
【００１８】
前記端末スプライス部１０ー１は、枝線３Ａ〜３Ｆの端末で絶縁被覆７を剥離して芯線８を露出させ、これら６本の枝線の芯線８を図２に示すように束ね、図３に示す抵抗溶接装置２０で溶接して、直方体状に一体化部分１０ａと、該一体化部分１０ａの先端から直角方向に屈折させた係止部１０ｂを設けている。
前記端末スプライス部１０ー２も枝線３Ｇ〜３Ｌの端末に抵抗溶接装置２０で溶接して一体化部分１０ａと係止部１０ｂを設けている。
【００１９】
前記抵抗溶接装置２０は、図３に示すように、下側電極２１、上側電極２２、奥側ガイド壁２３、左右のガイド壁２４、２５を備えた形状としている。
下側電極２１は固定し、該下側電極の左右両側にガイド壁２４、２５を固定して立設し、かつ、下側電極２１の奥端に奥側ガイド壁２３を設けている。該奥側ガイド壁２３には昇降する上側電極２２の奥側端面との間に隙間２８が形成される窪み２３ａを設けている。該奥側ガイド壁２３との対向側が端末スプライス部１０を形成する枝線３の挿入口２６としている。上側電極２２は左右のガイド壁２４、２５の対向面に対して摺接しながら昇降させている。
【００２０】
以下に、抵抗溶接装置２０を用いた端末スプライス部１０の形成方法を説明する。
複数本の枝線３（３Ａ〜３Ｆ、３Ｇ〜３Ｌ）の芯線８を重ね合わせた状態で挿入口２６より下側電極２１の上面側に挿入し、芯線８の先端を奥側ガイド壁２３に突き当てて下側電極２１上にセットする。
ついで、上側電極２２を図４に示すように下降する。これにより、下側電極２１との間で複数本の枝線の芯線８を溶融して一体化し、前記一体化部分１０ａとなる。同時に、奥側ガイド壁２３と上側電極２２の奥側側面との間の隙間に負圧が発生し、該負圧により芯線８の溶融体が上昇して充填されていく。この上側電極２２と奥側ガイド壁２３との間に生じる溶融体の部分は前記一体化部分１０ａの先端より直角に立ち上がる形状となり、前記係止部１０ｂとなる。
最後に、上側電極２２を上昇して下側電極２１および奥側ガイド壁２３より離していき、溶融体が硬化することで、先端に係止部１０ｂが突設した端末スプライス部１０を形成している。
【００２１】
前記のように、枝線３Ｍ〜３Ｑはジョイントコネクタ５でジョイントさせている。図５に示すように、該ジョイントコネクタ５は枝線３Ｍ〜３Ｑの端末に圧着した各端子１２をオスコネクタハウジング１３の端子収容室１３ａ内に挿入係止し、該オスコネクタハウジング１３をジョイントバスバー１５を収容したメスコネクタハウジング１６に嵌合し、ジョイントバスバー１５より分岐して突出させた端子１５ａに前記端子１２を嵌合している。
【００２２】
前記メスコネクタハウジング１６の左右両側壁１６ａに端末スプライス部１０−１、１０−２をそれぞれ挿入係止する収容部１８（１８−１、１８−２）を付設している。
なお、前記収容部１８をメスコネクタハウジング１６と別体として設け、端末スプライス部１０の個数に応じてメスコネクタハウジング１６に着脱自在に組みつけるようにしてもよい。
【００２３】
前記収容部１８は一つの端末スプライス部１０を挿入できる中空部を有し、挿入口１８ａのみが開口したボックス形状であり、その底面１８ｂより傾斜したランス状の被係止部１９を突設している。
図６に示すように、該収容部１８に挿入する端末スプライス部１０は先端側の係止部１０ｂが被係止部１９を乗り越えて挿入され、乗り越えた時点で係止部１０ｂに被係止部１９が係止し、収容部１８内に端末スプライス部１０を位置決め保持できるようにしている。
【００２４】
前記のように、本発明では、ワイヤハーネス１の幹線２から分岐する複数本の枝線３（３Ａ〜３Ｆ、３Ｇ〜３Ｌ）に形成した端末スプライス部１０（１０−１、１０−２）に係止部１０ｂを設けておく一方、該幹線２から分岐する別の枝線３Ｍ〜３Ｑをジョイントするジョイントコネクタ５に端末スプライス部１０の収容部１８（１８−１、１８−２）を設け、各収容部１８内に前記係止部１０ｂを係止するランス状の被係止部１９を設けている。
よって、各端末スプライス部１０を各収容部１８に挿入するだけでのワンタッチ作業で、前記係止部１０ｂを被係止部１９に係止して保持することができる。
【００２５】
前記ジョイントコネクタ５は従来と同様に幹線２の外周面に載置し、粘着テープを巻き付けて幹線２に固着保持している。なお、ジョイントコネクタ５のメスコネクタハウジング１６の外面に車体係止用のクリップを突設し、車体にジョイントコネクタ５を固定してもよい。
【００２６】
本発明は前記実施形態に限定されず、例えば、ジョイントコネクタ５のメスコネクタハウジング１６の上面に端末スプライス部１０の収容部を所要個数突設してもよい。
【符号の説明】
【００２７】
１  ワイヤハーネス
２  幹線
３（３Ａ〜３Ｑ）  枝線
５  ジョイントコネクタ
８  芯線
１０（１０−１、１０−２）  端末集中溶接スプライス部
１０ａ  一体化部分
１０ｂ  係止部
１８（１８−１、１８−２）  収容部
１９  被係止部
２０  抵抗溶接装置
【図１】
2011154903.tif 000003
【図２】
2011154903.tif 000004
【図３】
2011154903.tif 000005
【図４】
2011154903.tif 000006
【図５】
2011154903.tif 000007
【図６】
2011154903.tif 000008
【図７】
2011154903.tif 000009
【図８】
2011154903.tif 000010
【図９】
2011154903.tif 000011
【図１０】
2011154903.tif 000012